(57)【要約】【課題】表層まで引上げてきた浮魚礁用アンカーを安全かつ確実に作業船上に回収することができる浮魚礁用アンカーの回収方法、およびその回収方法で使用する回収カゴを提供すること。【課題手段】海底に置かれた浮魚礁用アンカー１を表層まで引上げて回収する浮魚礁用アンカーの回収方法において、回収索４１を浮魚礁用アンカー１に掛止してその回収索４１を作業船２上のウインチ２２により巻上げることにより、浮魚礁用アンカー１を海底から表層まで引上げると共に、表層まで引上げた浮魚礁用アンカー１をクレーン２１から吊下げた回収カゴ３に収容してクレーン２１によって作業船２上へ引上げて回収する。【選択図】図３
2014000052.tif 000002
【特許請求の範囲】
【請求項１】
海底に置かれた浮魚礁用アンカーを表層まで引上げて回収する浮魚礁用アンカーの回収方法において、
回収索を浮魚礁用アンカーに掛止してその回収索を巻上げることにより、浮魚礁用アンカーを海底から表層まで引上げると共に、表層まで引上げた浮魚礁用アンカーをクレーンから吊下げた回収カゴに収容し、浮魚礁用アンカーを収容した回収カゴをクレーンによって吊上げることによって回収することを特徴とする浮魚礁用アンカーの回収方法。
【請求項２】
請求項１記載の浮魚礁用アンカーの回収方法で使用する回収カゴであって、
底部と、左右両側の側部と、後部とを有しており、左右両側の側部の上部における長手方向の前後両側には、それぞれカゴ吊下げ用ロープを連結するための吊り孔金具が設けられており、カゴ吊下げ用ロープの前後の長さを同じにして各吊り孔金具に連結した場合、回収カゴが前上がりの状態で吊下げられるように、後部側の吊り孔金具は開口部側の吊り孔金具よりも長く、その孔位置が高い位置に設けられていることを特徴とする浮魚礁用アンカーの回収方法で使用する回収カゴ。
【発明の詳細な説明】
【技術分野】
【０００１】
本発明は、海底に置かれた浮魚礁用アンカーを表層まで引上げて回収する浮魚礁用アンカーの回収方法、およびその回収方法で使用する回収カゴに関する。
【背景技術】
【０００２】
浮魚礁用アンカーの回収方法として、例えば、回収索に連結された回収用金具を無人潜水機により海中へ運び、浮魚礁と浮魚礁用アンカーとを結ぶ係留索に結合して無人潜水機を引上げた後、回収索をウインチで引上げる方法（例えば、特許文献１参照。）や、浮魚礁用アンカーが連結された浮魚礁を回収具等に結合して引上げる方法が提案されている（例えば、特許文献２参照。）。
【先行技術文献】
【特許文献】
【０００３】
【特許文献１】特開２０１０−２０７１０６号公報
【特許文献２】特許第４８３８９０６号公報
【発明の概要】
【発明が解決しようとする課題】
【０００４】
しかし、前述の特許文献１，２の浮魚礁用アンカーの回収方法では、浮魚礁と共に浮魚礁用アンカーをウインチが回収索を巻上げて回収するものであるが、浮魚礁用アンカーは重量があり、また海上は波があること等から、表層まで引上げてきた浮魚礁用アンカーを作業船上に安全かつ確実に回収することは、非常に困難であった。
【０００５】
そこで、本発明は、このような問題点に着目してなされたもので、表層まで引上げてきた浮魚礁用アンカーを安全かつ確実に作業船上に回収することができる浮魚礁用アンカーの回収方法、およびその回収方法で使用する回収カゴを提供することを目的とする。
【課題を解決するための手段】
【０００６】
上記目的を達成するため、本発明に係る浮魚礁用アンカーの回収方法は、海底に置かれた浮魚礁用アンカーを表層まで引上げて回収する浮魚礁用アンカーの回収方法において、回収索を浮魚礁用アンカーに掛止してその回収索を巻上げることにより、浮魚礁用アンカーを海底から表層まで引上げると共に、表層まで引上げた浮魚礁用アンカーをクレーンから吊下げた回収カゴに収容し、浮魚礁用アンカーを収容した回収カゴをクレーンによって吊上げ回収することを特徴とする。
また、本発明に係るその浮魚礁用アンカーの回収方法で使用する回収カゴは、底部と、左右両側の側部と、後部とを有しており、左右両側の側部の上部における長手方向の前後両側には、それぞれカゴ吊下げ用ロープを連結するための吊り孔金具が設けられており、カゴ吊下げ用ロープの前後の長さを同じにして各吊り孔金具に連結した場合、回収カゴが前上がりの状態で吊下げられるように、後部側の吊り孔金具は開口部側の吊り孔金具よりも長く、その孔位置が高い位置に設けられていることを特徴とする。
【発明の効果】
【０００７】
本発明に係る浮魚礁用アンカーの回収方法によれば、表層まで引上げてきた浮魚礁用アンカーはクレーンから吊下げた回収カゴに収容し、浮魚礁用アンカーを収容した回収カゴをクレーンによって吊上げて回収するため、浮魚礁用アンカーを安全かつ確実に作業船上に回収することができる。また、本発明に係るその回収方法で使用する回収カゴによれば、吊下げ用ロープの前後の長さを同じにして各吊り孔金具に連結した場合、回収カゴが前上がりの状態で吊下げられるため、波などによりクレーンや回収カゴ等が揺れたとしても、浮魚礁用アンカーは回収カゴの中から飛び出し難くなり、この点でも、安全かつ確実に浮魚礁用アンカーを回収できる。
【図面の簡単な説明】
【０００８】
【図１】浮魚礁用アンカーを表層まで吊上げた状態を示す図である。
【図２】クレーンに回収カゴを吊下げた状態を示す図である。
【図３】クレーンで回収カゴを海中に下ろした状態を示す図である。
【図４】回収カゴ内に浮魚礁用アンカーを収容した状態を示す図である。
【図５】回収カゴの斜視図である。
【図６】回収カゴを前上がりの状態で吊下げた状態を示す図である。
【図７】（ａ），（ｂ）それぞれ、回収カゴに船上から固定索を結合した状態を示す概略平面図である。
【発明を実施するための形態】
【０００９】
次に、本発明に係る浮魚礁用アンカーの回収方法、およびこの回収方法で使用する回収カゴの実施形態について図面を参照して説明する。
【００１０】
この浮魚礁用アンカーの回収方法では、まず、図１に示すように、海底に置かれた浮魚礁用アンカー１に回収索４１を連結し、ガイドローラー２３を介しウインチ２２等により巻上げて、海洋の表層まで引き揚げる。ここで、浮魚礁用アンカー１への回収索４１の連結は、浮魚礁用アンカー１が深い海底に沈んでいる場合には、前述の特許文献１に開示されている図示しない無人潜水機（ＲＯＶ）等により連結する一方、浅い海底に沈んでいる場合には、潜水士等により連結する。なお、浮魚礁用アンカー１は、図示しない中層浮魚礁等に係留索を介して連結されて海底に沈んでいる場合でも、中層浮魚礁から切り離されて海底に沈んでいる場合のどちらの場合にも適用可能である。
【００１１】
浮魚礁用アンカー１が表層まで引上げられると、次に、作業者が作業船２上に設置したクレーン２１を動作させて、図２に示すように、ガゴ昇降用ロープ４２ａ、カゴ吊下げ用ロープ４２ｂおよび吊下げフック４３を介して回収カゴ３を吊上げて、作業船２上から海上へ運ぶ。
【００１２】
そして、図３に示すように、クレーン２１により回収カゴ３を作業船２上から海中に降ろし、図４に示すように、クレーン２１の操作により回収カゴ３を浮魚礁用アンカー１の方へ移動させ、回収カゴ３の中に浮魚礁用アンカー１を収容する。
【００１３】
回収カゴ３は、図５に示すように、例えば、Ｈ型鋼等を縦横に溶接などしてカゴ状に組まれたもので、作業船２によって表層まで引上げた浮魚礁用アンカー１を回収カゴ３の中に収容して吊上げることができるよう、浮魚礁用アンカー１より一回り大きい左右両側の側部３１，３２と、後部３３と、底部３４とを有している。例えば、左右両側の側部３１，３２間の内幅は、浮魚礁用アンカー１の幅に対して１〜２ｍプラスした程度であり、回収カゴ３の底部３４の奥行きも浮魚礁用アンカー１の奥行きに対して１〜２ｍプラスした程度の長さで、両側部３１，３２および後部３３の高さは、浮魚礁礁用アンカー１の高さの１．２〜２．０倍程度としている。
【００１４】
また、底部３４を構成するＨ型鋼３４１〜３４４の先端部には、図５に示すように、回収カゴ３内にいったん収容した浮魚礁用アンカー１が脱落しないように、上方に０．３〜０．５ｍ程度突出した凸部３４１ａ〜３４４ａが設けられている。このため、波などで揺れた場合でも、回収カゴ３内に一旦収容した浮魚礁用アンカー１が脱落することを防止でき、波のある海上でも、確実に浮魚礁用アンカー１を回収できる。
【００１５】
また、左右両側の側部３１，３２の上部におけるＨ型鋼３１１，３２１の上側面の後部３３側には、図５に示すように、断面コ字状の上部押さえ材３５が設けられている。そのため、回収カゴ３内にいったん浮魚礁用アンカー１を収容した後、波などの影響で回収カゴ３が海中で揺れたりして、回収カゴ３の中で浮魚礁用アンカー１が移動しても、上部押さえ材３５が浮魚礁用アンカー１の後部を上方から押さえるので、この点でも、浮魚礁用アンカー１の脱落を防止できる。
【００１６】
さらに、左右両側の側部３１，３２の上部Ｈ型鋼３１１，３２１の上側面における長手方向の前後両側には、図５に示すように、それぞれ、カゴ吊下げ用ロープ４２ｂを連結するための吊り孔金具３１１ａ，３１１ｂ、３２１ａ，３２１ｂが設けられている。ここで、後部３３側の吊り孔金具３１１ｂ，３２１ｂは、開口部側の吊り孔金具３１１ａ，３２１ａよりも長くして、その孔位置を上方の高い位置に設けている。そのため、吊り孔金具３１１ａ，３１１ｂ、３２１ａ，３２１ｂに連結するカゴ吊下げ用ロープ４２ｂの前後の長さを同じにして回収カゴ３を吊上げた場合には、その孔位置の高さの差の分だけ、回収カゴ３は前上がりの状態で吊下げられることになる。その結果、図４に示すように回収カゴ３の中に浮魚礁用アンカー１を収容すると、回収カゴ３の中に収容された浮魚礁用アンカー１は、回収カゴ３の中で開口部側よりも後部３３側に移動し易くなるので、波などによりクレーン２１や回収カゴ３等が揺れたとしても、回収カゴ３の開口部から飛び出し難くなり、この点でも、確実に浮魚礁用アンカー１を回収できる。
【００１７】
なお、より安定した状態で回収カゴ３を使用して浮魚礁用アンカー１を回収するためには、図７（ａ）に示すように、回収カゴ３の両側部３１，３２の前端部に、その一端が作業船２上の別のウインチ２４，２４に連結された固定索４４ａ，４４ａの他端を連結し、浮魚礁用アンカー１を収容した回収カゴ３をクレーン２１が引上げる際に、回収カゴ３が揺れないよう固定して補助しても良い。また、図７（ｂ）に示すように、回収カゴ３の後部３３に、その一端が補助作業船５に連結された固定索４４ｂの他端を連結し、固定索４４ａ，４４ａおよび固定索４４ｂを使用した３点支持により回収カゴ３が揺れないよう固定して補助することもできる。
【符号の説明】
【００１８】
１…浮魚礁用アンカー、２…作業船、２１…クレーン、２２…ウインチ、２３…ガイドローラー、２４…ウインチ、３…回収カゴ、４１…回収索、４２ａ…ガゴ昇降用ロープ、４２ｂ…カゴ吊下げ用ロープ、４３…吊下げフック、４４ａ，４４ｂ…固定索、５…補助作業船。
【図１】
2014000052.tif 000003
【図２】
2014000052.tif 000004
【図３】
2014000052.tif 000005
【図４】
2014000052.tif 000006
【図５】
2014000052.tif 000007
【図６】
2014000052.tif 000008
【図７】
2014000052.tif 000009